(57)【要約】【課題】高倍速書き込みを行う場合においても、ディスク全体に書き込んだ信号の品質を一律、高精度に確保できるようにする。【解決手段】ＲＯＭ１０９内のレーザ出力設定値および記録パルス設定値を初期設定値として読み出し、この初期設定値の値を少しずつ変えながらディスク１０１の複数箇所（内周部，中間部，外周部）にテスト書き込みを行い、書き込んだ信号を読み出し、読み出した信号（ＲＦ信号）の振幅、ジッタ、エラー率等を測定し、ＲＦ信号品質検証を行う。各箇所について最良の結果が得られたときのレーザ出力設定値および記録パルス設定値をテスト結果とし、このテスト結果とディスク１０１の型番とをテスト済みディスクのディスク情報としてテスト結果格納領域１０７に書き込む。テスト済みディスクと同型番のディスクがセットされた場合、テスト結果格納領域１０７からテスト結果を読み出して、データの書き込みを行う。【選択図】        図１
2004199749.tif 000002
【特許請求の範囲】
【請求項１】
ディスクの種別を示す種別情報とそのディスクにデータを書き込む際に必要とされるレーザ出力情報および記録パルス情報とをディスク情報とし、このディスク情報を複数種類のディスクについて記したテーブルデータを記憶するテーブルデータ記憶手段と、
セットされたディスクに書き込まれている種別情報と一致するディスク情報が前記テーブルデータ内にあるか否かを確認するディスク情報確認手段と、
このディスク情報確認手段によって種別情報が一致するディスク情報が前記テーブルデータ内にあることが確認された場合、その種別情報が一致したディスク情報のレーザ出力情報および記録パルス情報を初期設定情報として読み出し、この読み出した初期設定情報の値を少しずつ変えながら前記セットされたディスクの全領域中の予め定められた複数の任意な箇所にテスト書き込みを行い、各箇所について最良の結果が得られたときのレーザ出力情報および記録パルス情報をテスト結果とし、このテスト結果とそのディスクの種別情報とをテスト済みディスクのディスク情報としてテスト結果格納領域に書き込む手段と
を備えたことを特徴とする光学式ディスク記録再生装置。
【請求項２】
請求項１に記載された光学式ディスク記録再生装置において、
前記ディスク情報確認手段によって種別情報が一致するディスク情報が前記テーブルデータ内にあることが確認されなかった場合、前記セットされたディスクに記録されている基本レーザ出力情報および基本記録パルス情報を前記初期設定情報として読み出す手段
を備えたことを特徴とする光学式ディスク記録再生装置。
【請求項３】
請求項１又は２に記載された光学式ディスク記録再生装置において、
セットされたディスクに書き込まれている種別情報と一致するテスト済みディスクのディスク情報が前記テスト結果格納領域に書き込まれているか否かを確認するテスト結果確認手段と、
このテスト結果確認手段によって種別情報が一致するテスト済みディスクのディスク情報が前記テスト結果格納領域に書き込まれていることが確認された場合、その種別情報が一致したディスク情報のレーザ出力情報および記録パルス情報を利用して前記セットされたディスクへのデータの書き込みを行うデータ書込手段と
を備えたことを特徴とする光学式ディスク記録再生装置。
【請求項４】
請求項３に記載された光学式ディスク記録再生装置において、
前記データ書込手段は、
前記テスト結果確認手段によって種別情報が一致するテスト済みディスクのディスク情報が前記テスト結果格納領域に書き込まれていることが確認された場合、その種別情報が一致したテスト済みディスクのディスク情報のレーザ出力情報および記録パルス情報を利用して前記セットされたディスクの最内周部に設けられているテスト用の領域にテスト書き込みを行い、このテスト書き込みの結果に基づいてそのレーザ出力情報および記録パルス情報を微調整し、この微調整したレーザ出力情報および記録パルス情報を利用して前記セットされたディスクへのデータの書き込みを行う
ことを特徴とする光学式ディスク記録再生装置。
【請求項５】
請求項１〜４の何れか１項に記載された光学式ディスク記録再生装置において、
前記テスト結果格納領域へのテスト済みディスクのディスク情報の書き込みが終了した後、前記セットされたディスクがオーバライト可能なディスクか否かをチェックし、オーバライト可能なディスクでなかった場合には、前記複数の任意な箇所へのテスト書き込みに使用したセクタを不良セクタとして登録する手段
を備えたことを特徴とする光学式ディスク記録再生装置。
【請求項６】
請求項１〜５の何れか１項に記載された光学式ディスク記録再生装置において、
前記テスト結果格納領域は、前記複数の任意な箇所にテスト書き込みを行ったディスク内に確保される領域であることを特徴とする光学式ディスク記録再生装置。
【請求項７】
請求項１〜５の何れか１項に記載された光学式ディスク記録再生装置において、
前記テスト結果格納領域は、パーソナルコンピュータの記憶装置内に確保される領域であることを特徴とする光学式ディスク記録再生装置。
【発明の詳細な説明】
【０００１】
【発明の属する技術分野】
この発明は、セットされたＣＤ−Ｒ（追記型光ディスク：Compact  Disk-Recordable）やＣＤ−ＲＷ（リライタブル型光ディスク：Compact  Disk-Rewritable）などのディスクに光学的にデータを記録および再生する光学式ディスク記録再生装置に関するものである。
【０００２】
【従来の技術】
従来より、この種の光学式ディスク記録再生装置においては、レーザ出力制御部に設定されるレーザ出力情報や記録パルス生成部に設定される記録パルス情報を利用して、セットされたディスクへのデータの書き込みを行っている。
【０００３】
図５はＣＤ−Ｒで用いられる記録パターン信号の一例である。この記録パターン信号は、ピークレーザ出力値Ｈ１、ライトレーザ出力値Ｈ２、及びそれぞれのレーザ出力のタイミングを制御するピークパルス時間Ｔ１、ライトパルス時間Ｔ２によってそのパターンが表される。
【０００４】
この図５に示した記録パターン信号でいうと、レーザ出力制御部にはピークレーザ出力値Ｈ１およびライトレーザ出力値Ｈ２がレーザ出力情報として設定され、記録パルス生成部にはピークパルス時間Ｔ１およびライトパルス時間Ｔ２が記録パルス情報として設定される。この設定されたレーザ出力情報（レーザ出力設定値）および記録パルス情報（記録パルス設定値）を利用して、セットされたＣＤ−Ｒへのデータの書き込みが行われる。
【０００５】
ＣＤ−ＲやＣＤ−ＲＷには、例えばディスク特定情報として、ＡＴＩＰ（Absolute Time In Pre-groove ）が書き込まれている。このＡＴＩＰの中には、メーカ名や型番などのディスクの種別を示す種別情報と合わせて、そのディスクへの書き込みに使用するための基本的な情報（基本レーザー出力設定値、基本記録パルス設定値、最小記録開始アドレス、最大記録終了アドレス等）が登録されている。なお、ＤＶＤ−Ｒ／ＲＷの場合にはＬＰＰ（Land-Pre-Pit）、ＤＶＤ＋Ｒ／ＲＷの場合にはＡＤＩＰ（Address-In-Pre-groove ）などがディスク特定情報としてディスクに書き込まれる。
【０００６】
また、ＣＤ−ＲやＣＤ−ＲＷには、データ書き込み時のレーザ出力設定値や記録パルス設定値の微調整を行うためのテスト領域がディスク最内周部に存在する。図６はＣＤ−ＲやＣＤ−ＲＷにおける各種の領域を示し、１０１−１はリードアウト領域、１０１−２はプログラム領域、１０１−３はリードイン領域、１０１−４はＰＭＡ領域、１０１−５はディスク最内周部にテスト領域として設けられたＰＣＡ領域である。
【０００７】
従来、ＣＤ−ＲやＣＤ−ＲＷなどのディスク１０１へのデータ書き込み時のレーザ出力設定値や記録パルス設定値の微調整は、ＰＣＡ領域１０１−５を利用して、図７にそのフローチャートを示すような方法で行われている（例えば、特許文献１、２、３参照）。
【０００８】
なお、この方法では、ディスクのメーカや型番などの種別情報とそのディスクにデータを書き込む際に必要とされるレーザ出力設定値および記録パルス設定値とをディスク情報とし、このディスク情報を複数種類のディスクについて記したテーブルデータを作成し、装置内のメモリに記憶させておく。このメモリに記憶させるレーザ出力設定値や記録パルス設定値は、メーカや型番が異なる複数種類のディスクを実験用の装置にセットし、そのディスクにデータを良好に書き込むことができる値（初期値）として実験により求めたものである。
【０００９】
〔レーザ出力設定値および記録パルス設定値の調整〕
ＣＤ−ＲやＣＤ−ＲＷなどのディスク１０１がセットされると（ステップ７０１）、装置内のマイクロコンピュータは、このディスク１０１に書き込まれているディスク特定情報からディスク１０１を特定するための種別情報として例えば型番を読み出し（ステップ７０２）、この型番と一致するディスク情報がテーブルデータ内にあるか否かを確認する（ステップ７０３）。
【００１０】
型番が一致するディスク情報がテーブルデータ内にあった場合（ステップ７０３のＹＥＳ）、装置内のマイクロコンピュータは、その型番が一致したディスク情報のレーザ出力設定値および記録パルス設定値を読み出し（ステップ７０４）、この読み出したレーザ出力設定値および記録パルス設定値を利用してＰＣＡ領域１０１−５へのテスト書き込みを行う（ステップ７０５）。そして、このテスト書き込みの結果をベースに、レーザ出力設定値や記録パルス設定値の微調整を行い（ステップ７０６）、ディスク１０１へのデータの本番書き込みを行う（ステップ７０７）。
【００１１】
この場合、セットされたディスク１０１は実験用の装置で確かめられているディスクであり、テーブルデータ内のディスク情報から読み出されるレーザ出力設定値および記録パルス設定値は、そのディスクにデータを良好に書き込むことができる値として事前に求められているものである。したがって、レーザ出力設定値や記録パルス設定値を微調整するだけで、支障なくデータの書き込みを行うことが可能である。
【００１２】
型番が一致するディスク情報がテーブルデータ内になかった場合（ステップ７０３のＮＯ）、装置内のマイクロコンピュータは、セットされているディスクに書き込まれているディスク特定情報から基本レーザ出力設定値および基本記録パルス設定値を読み出し（ステップ７０８）、ステップ７０５以下の処理を上述と同様にして実行する。
【００１３】
この場合、セットされているディスク１０１は実験用の装置では確かめられていない未知のディスクであり、このディスクから読み出される基本レーザ出力設定値や基本記録パルス設定値は、規格書（ＣＤ−Ｒ／ＲＷの場合は通称「OrangeBook」）に沿った値である。この基本レーザ出力設定値や基本記録パルス設定値を微調整することにより、未知のディスク１０１に対してもデータの書き込みを行うことが可能となる。但し、微調整では調整しきれないディスクが生じることもあり、このようなディスクについては書き込み不良を起こし、読み出しエラーが頻発してしまう虞れがある。
【００１４】
このような技術を利用し、現在市販されているＣＤ−Ｒ／ＲＷドライブでは、最大３２倍速等の高速書き込みが行われるようになり、今後ＤＶＤ系ディスクも含めて更なる高倍速化が行われる傾向にある。
【００１５】
【特許文献１】
特開２０００−１６３７４６号公報（段落〔００１８〕〜〔００２１〕、第３図）
【特許文献２】
特開２０００−１９５０６３号公報（第１図）
【特許文献３】
特開平０６−１７６３６８号公報（第３図）
【００１６】
【発明が解決しようとする課題】
一般に、３２倍速書き込み等の高倍速書き込み時には、スピンドルモータのトルク限界、ディスクの回転による振動等の影響を考慮し、回転速度一定方式（ＣＡＶ方式）を用いてデータの書き込みを行う。このため、ディスクの内周側と外周側とでは、データの記録・再生時の線速度が２．６倍程度異なってくる。
【００１７】
ＣＤ−ＲやＣＤ−ＲＷ等のディスクでは、上述したように、ディスクの最内周部にテスト領域としてＰＣＡ領域が設けられており、このＰＣＡ領域へのテスト書き込みの結果に基づいてレーザ出力設定値や記録パルス設定値の微調整を行う。しかし、この調整方法では、回転速度一定方式とする高倍速書き込みを行う場合においては、最内周部部分でのテスト書き込みの結果は最内周付近の書き込み時には反映させることができるが、外周に行くに従ってテスト書き込みの結果と実際の書き込み品質に相違が生じてしまう。このため、回転速度一定方式とする高倍速書き込みを行う場合、ディスク全体に書き込んだ信号の品質を一律、高精度に確保することが困難であった。
【００１８】
本発明はこのような課題を解決するためになされたもので、その目的とするところは、高倍速書き込みを行う場合においても、ディスク全体に書き込んだ信号の品質を一律、高精度に確保することの可能な光学式ディスク記録再生装置を提供することにある。
【００１９】
【課題を解決するための手段】
このような目的を達成するために、第１発明（請求項１に係る発明）は、ディスクの種別を示す種別情報とそのディスクにデータを書き込む際に必要とされるレーザ出力情報および記録パルス情報とをディスク情報とし、このディスク情報を複数種類のディスクについて記したテーブルデータを記憶するテーブルデータ記憶手段と、セットされたディスクに書き込まれている種別情報と一致するディスク情報がテーブルデータ内にあるか否かを確認するディスク情報確認手段と、このディスク情報確認手段によって種別情報が一致するディスク情報がテーブルデータ内にあることが確認された場合、その種別情報が一致したディスク情報のレーザ出力情報および記録パルス情報を初期設定情報として読み出し、この読み出した初期設定情報の値を少しずつ変えながらセットされたディスクの全領域中の予め定められた複数の任意な箇所にテスト書き込みを行い、各箇所について最良の結果が得られたときのレーザ出力情報および記録パルス情報をテスト結果とし、このテスト結果とそのディスクの種別情報とをテスト済みディスクのディスク情報としてテスト結果格納領域に書き込む手段とを設けたものである。
【００２０】
この発明では、メーカや型番などのディスクの種別を示す種別情報とそのディスクにデータを書き込む際に必要とされるレーザ出力情報（レーザ出力設定値）および記録パルス情報（記録パルス設定値）とをディスク情報とし、このディスク情報を複数種類のディスクについて記したテーブルデータをメモリに記憶しておく。
ディスクがセットされると、そのディスクに書き込まれれている種別情報として例えば型番が読み出され、この読み出された型番と一致するディスク情報がテーブルデータ内にあるか否かが確認される。
型番が一致するディスク情報がテーブルデータ内にあれば、その型番が一致したディスク情報のレーザ出力設定値や記録パルス設定値が初期設定値として読み出され、この読み出された初期設定値の値を少しずつ変えながらセットされたディスクの全領域中の予め定められた複数の任意な箇所にテスト書き込みが行われ、各箇所について最良の結果が得られたときのレーザ出力設定値および記録パルス設定値がテスト結果として求められる。
例えば、ディスクの内周部、中間部、外周部の３箇所に記録パターンを少しずつ変えながらテスト書き込みが行われ、書き込まれた信号が読み出され、この読み出された信号（ＲＦ信号）に対して、振幅、ジッタ、エラー率等が測定され、各箇所についてこれらが最良となるようなレーザ出力設定値および記録パルス設定値がテスト結果として求められる。
そして、この各箇所について求められた最良の結果が得られたときのレーザ出力設定値および記録パルス設定値（テスト結果）とそのディスクの型番とが、テスト済みディスクのディスク情報としてテスト結果格納領域に書き込まれる。
【００２１】
第２発明（請求項２に係る発明）は、第１発明において、種別情報が一致するディスク情報がテーブルデータ内にあることが確認されなかった場合、セットされたディスクに記録されているレーザ出力情報および記録パルス情報を初期設定情報として読み出す手段を設けたものである。
この発明によれば、ディスクに書き込まれれている種別情報として例えば型番が読み出され、この読み出された型番と一致するディスク情報がテーブルデータ内になかった場合、セットされたディスクに記録されている基本レーザ出力設定値および基本記録パルス設定値が初期設定値として読み出される。そして、第１発明と同様にして、この初期設定値の値を少しずつ変えながらセットされたディスクの全領域中の予め定められた複数の任意な箇所にテスト書き込みが行われ、各箇所について最良の結果が得られたときのレーザ出力設定値および記録パルス設定値がテスト結果として求められ、このテスト結果とそのディスクの型番とがテスト済みディスクのディスク情報としてテスト結果格納領域に書き込まれる。
【００２２】
第３発明（請求項３に係る発明）は、第１発明又は第２発明において、セットされたディスクに書き込まれている種別情報と一致するテスト済みディスクのディスク情報がテスト結果格納領域に格納されているか否かを確認するテスト結果確認手段と、このテスト結果確認手段によって種別情報が一致するテスト済みディスクのディスク情報がテスト結果格納領域に書き込まれていることが確認された場合、その種別情報が一致したディスク情報のレーザ出力情報および記録パルス情報を利用してセットされたディスクへのデータの書き込みを行うデータ書込手段とを設けたものである。
この発明によれば、ディスクに書き込まれれている種別情報として例えば型番が読み出され、この読み出された型番と一致するテスト済みディスクのディスク情報がテスト結果格納領域に書き込まれているか否かが確認される。型番が一致するテスト済みディスクのディスク情報がテスト結果格納領域に書き込まれていれば、その型番が一致したテスト済みディスクのディスク情報のレーザ出力設定値や記録パルス設定値が読み出され、この読み出されたレーザ出力設定値や記録パルス設定値を利用してディスクへのデータの書き込みが行われる。すなわち、テスト結果格納領域にテスト済みディスクのディスク情報が書き込まれていれば、そのディスクと同型番のディスクに対しては複数の任意な箇所へのテスト書き込みが行われることがなく、直ちにテスト結果格納領域に書き込まれているレーザ出力設定値や記録パルス設定値（テスト結果）を利用してデータの書き込みが行われる。
【００２３】
第４発明（請求項４に係る発明）は、第３発明において、種別情報が一致するテスト済みディスクのディスク情報がテスト結果格納領域に書き込まれていることが確認された場合、その種別情報が一致したテスト済みディスクのディスク情報のレーザ出力情報および記録パルス情報を利用してセットされたディスクの最内周部に設けられているテスト用の領域にテスト書き込みを行い、このテスト書き込みの結果に基づいてそのレーザ出力情報および記録パルス情報を微調整し、この微調整したレーザ出力情報および記録パルス情報を利用してセットされたディスクへのデータの書き込みを行うようにしたものである。
この発明によれば、ディスクに書き込まれれている種別情報として例えば型番が読み出され、この読み出された型番と一致するテスト済みディスクのディスク情報がテスト結果格納領域に書き込まれているか否かが確認される。型番が一致するテスト済みディスクのディスク情報がテスト結果格納領域に書き込まれていれば、その型番が一致したテスト済みディスクのディスク情報のレーザ出力設定値や記録パルス設定値が読み出される。そして、この読み出されたレーザ出力設定値や記録パルス設定値を利用してディスクの最内周部に設けられているテスト用の領域にテスト書き込みが行われ、このテスト書き込みの結果に基づいて微調整されたレーザ出力設定値や記録パルス設定値を利用してディスクへのデータの書き込みが行われる。
【００２４】
第５発明（請求項５に係る発明）は、第１〜第４発明の何れかにおいて、テスト結果格納領域へのテスト済みディスクのディスク情報の書き込みが終了した後、セットされたディスクがオーバライト可能なディスクか否かをチェックし、オーバライト可能なディスクでなかった場合には、複数の任意な箇所へのテスト書き込みに使用したセクタを不良セクタとして登録するようにしたものである。
この発明によれば、セットされたディスクがＣＤ−Ｒなどのオーバライト不可能なディスクであった場合、複数の任意な箇所へのテスト書き込みに使用したセクタは不良セクタとされ、使用が禁止される。
【００２５】
第６発明（請求項６に係る発明）は、第１〜第５発明の何れかにおいて、テスト結果格納領域を、複数の任意な箇所にテスト書き込みを行ったディスク内に確保するようにしたものである。
この発明によれば、テスト結果格納領域はテスト済みのディスク内に確保されるので、本発明の装置内に設ける必要はない。この場合、データの本番書き込みを行う前に、本番書き込みを行うディスクと同一型番のテスト済みのディスクを本発明の装置にセットし、そのディスクのテスト結果格納領域からレーザ出力設定値や記録パルス設定値（テスト結果）を読み出す。
【００２６】
第７発明（請求項７に係る発明）は、第１〜第５発明の何れかにおいて、テスト結果格納領域を、パーソナルコンピュータの記憶装置内に確保するようにしたものである。
この発明によれば、テスト結果格納領域はパーソナルコンピュータのハードディスク等の記憶装置内に確保されるので、本発明の装置内に設ける必要はない。この場合、本発明の装置とパーソナルコンピュータとを接続し、必要に応じてパーソナルコンピュータから、そのテスト結果格納領域に書き込まれている本番書き込みを行うディスクと同一型番のテスト済みのディスクのレーザ出力設定値や記録パルス設定値（テスト結果）の転送を受ける。
【００２７】
【発明の実施の形態】
以下、本発明を図面に基づいて詳細に説明する。図１はこの発明の一実施の形態を示す光学式ディスク記録再生装置のブロック図である。
同図において、符号１００で示す装置が本発明に係る光学式ディスク記録再生装置であり、この光学式ディスク記録再生装置１００はパーソナルコンピュータ１と接続されている。
【００２８】
パーソナルコンピュータ１には、光学式ディスク記録再生装置（以下、単に装置と呼ぶ）１００にセットされるディスク１０１に書き込むデータの作成や装置１００に対しての書き込み操作を行うためのアプリケーションソフトウェアとして、ライティングソフトウェア２が搭載されている。ライティングソフトウェア２はパーソナルコンピュータ１上で動作する。
【００２９】
装置１００において、ディスク１０１は、チャッキング１１３によってスピンドルモータ１１２の回転軸に固定される。図１はディスク１０１を装置１００にセットした状態を示している。光学ピックアップ１０２は、レーザー出力制御部１０３からのレーザ出力設定値を受け、レーザ光をディスク１０１に対して照射する。また、光学ピックアップ１０２は、ディスク１０１より反射してきたレーザ光を受け、光量に応じた電気信号に変換する。
【００３０】
再生信号処理部１０５は、光学ピックアップ１０２からの電気信号を受け、フォーカス、トラッキング等のサーボ制御に必要な各種エラー信号、及びディスク１０１に記録されているデータの再生に必要なＲＦ信号を読み取る。
データプロセッサ１０６は、ディスク１０１からのデータ再生時には再生信号処理部１０５からのＲＦ信号を元にデータを復調し、ホストインターフェイス（Ｉ／Ｆ）１１４を介してパーソナルコンピュータ１に転送する。また、データプロセッサ１０６は、ＲＦ信号の読み出しビットレートを元に、再生時のスピンドル制御用のドライブ信号の生成を行う。
【００３１】
また、データプロセッサ１０６は、ディスク１０１へのデータ記録時には、パーソナルコンピュータ１からホストインターフェイス１１４を介して記録するデータを受け取り、ディスク１０１に記録するＲＦ信号の形式に合わせてデータの変調を行う。また、データプロセッサ１０６は、ディスク１０１にあらかじめ記録してある信号（Wobble信号）を、再生信号処理部１０５より読み出し、記録時のスピンドル制御用のドライブ信号の生成を行う。
【００３２】
データプロセッサ１０６は、その他に、スピンドルサーボ制御部１１１から出力されるスピンドルモータ１１２の回転位置インデックス信号を受け、スピンドルのＣＡＶ（回転速度一定）制御用のドライブ信号の生成も行う。
【００３３】
記録パルス生成部１０４は、データプロセッサ１０６からＲＦ信号の元となる変調後のデータを受け取り、ディスク１０１に対してＲＦ信号を記録するために必要なレーザ照射時間を制御するライトパルス、ピークパルス等の各種記録パルスを生成する。
【００３４】
フォーカス／トラッキングサーボ制御部１１０は、再生信号処理部１０５にて生成したフォーカス、及びトラッキングエラー信号を元に、フォーカス、及びトラッキングの駆動信号を生成し、光学ピックアップ１０２内のフォーカス、及びトラッキングアクチュエータの制御を行う。
【００３５】
スピンドルサーボ制御部１１１は、データプロセッサ１０６からスピンドルドライブ信号を受け、スピンドルモータ１１２を駆動する。また、スピンドルモータ１１２の回転軸の位置に応じた回転位置インデックス信号を生成する。
マイクロコンピュータ１１７は、データプロセッサ１０６をはじめとする装置１００全体の制御を行う。
【００３６】
ＲＡＭ１０８は、マイクロコンピュータ１１７に接続され、装置１００の制御のためのワーク領域として使用される。
ＲＯＭ１０９は、マイクロコンピュータ１１７に接続され、装置１００の制御プログラムが格納されている。
【００３７】
また、この装置１００では、ディスクのメーカや型番などの種別情報とそのディスクにデータを書き込む際に必要とされるレーザ出力設定値および記録パルス設定値とをディスク情報とし、このディスク情報を複数種類のディスクについて記したテーブルデータを作成し、ＲＯＭ１０９に記憶させている。このＲＯＭ１０９に記憶させるレーザ出力設定値や記録パルス設定値は、メーカや型番が異なる複数種類のディスクを実験用の装置にセットし、そのディスクにデータを良好に書き込むことができる値（初期値）として実験により求めたものである。
【００３８】
テスト結果格納領域１０７には、セットされたディスク１０１に対して行う後述する複数箇所への書き込みテストによって得られた各箇所の最良の記録パルス設定値、及びレーザ出力設定値が格納される。テスト結果格納領域１０７はフラッシュメモリ等の不揮発メモリを用いて構成される。
【００３９】
なお、本実施の形態において、ディスク１０１はＣＤ−ＲあるいはＣＤ−ＲＷとし、ディスク特定情報としてＡＴＩＰが書き込まれているものとする。すなわち、ディスク１０１には、メーカ名や型番などのディスクの種別を示す種別情報と合わせて、規格書に沿った基本レーザ出力設定値や基本記録パルス設定値などが書き込まれているものとする。
【００４０】
次に、この装置１００における特徴的な動作について、図２に示すフローチャートを用いて説明する。このフローチャートの処理動作は主としてマイクロコンピュータ１１７が行う。
【００４１】
ディスク１０１がセットされると（ステップ２０１）、マイクロコンピュータ１１７は、このディスク１０１に書き込まれているディスク特定情報から種別情報として型番を読み出し（ステップ２０２）、型番が一致するディスク情報がテスト結果格納領域１０７内にあるか否かを確認する（ステップ２０３）。
【００４２】
〔型番が一致するディスク情報がテスト結果格納領域内になかった場合〕
ここで、ディスク１０１は、後述する複数箇所への書き込みテストが行われていない初めての型番のディスクであるとする。この場合、テスト結果格納領域１０７内には、型番が一致するディスク情報はない。したがって、ステップ２０３のＮＯに応じて、ステップ２０４へ進む。
【００４３】
〔型番が一致するディスク情報がテーブルデータ内にあった場合〕
ステップ２０４において、マイクロコンピュータ１１７は、型番が一致するディスク情報がＲＯＭ１０９のテーブルデータ内にあるか否かを確認する。ＲＯＭ１０９のテーブルデータ内に型番が一致するディスク情報があれば（ステップ２０４のＹＥＳ）、マイクロコンピュータ１１７は、その型番が一致したディスク情報のレーザ出力設定値および記録パルス設定値を初期設定値として読み出し、レーザ出力設定値をレーザ出力制御部１０３へ、記録パルス設定値を記録パルス生成部１０４に設定する（ステップ２０５）。
【００４４】
次に、マイクロコンピュータ１１７は、パーソナルコンピュータ１から転送されてきたデータをディスク１０１に対して書き込む際に使用する倍速と同じ速度でスピンドルモータ１１２を駆動させた状態で、ディスク１０１の全領域中の任意の複数箇所をテスト書き込み箇所として選択する。本実施の形態では、図３にディスク１０１の概略を示すように、内周部、中間部、外周部の３箇所（Ｓ１、Ｓ２、Ｓ３）をテスト書き込み箇所として選択する。
【００４５】
そして、マイクロコンピュータ１１７は、初期設定値として設定したレーザ出力設定値および記録パルス設定値の値を少しずつ変えながら、すなわち記録パターン信号のパターンを少しずつ変えながら、テスト書き込み箇所Ｓ１，Ｓ２，Ｓ３のそれぞれについてテスト書き込みを行う（ステップ２０６）。
【００４６】
図４はＣＤ−Ｒのテスト書き込みに用いられる変化パターンの一例である。このように、ピークレーザ出力値Ｈ１やライトレーザ出力値Ｈ２、ピークパルス時間Ｔ１やライトパルス時間Ｔ２を少しずつ変化させたパターンを、すなわちレーザ出力設定値や記録パルス設定値を少しずつ変化させた記録パターン信号を、各ＥＦＭ長（３Ｔ〜１１Ｔ）毎、及びテスト書き込み箇所Ｓ１，Ｓ２，Ｓ３毎に書き込む。
【００４７】
この記録パターン信号のテスト書き込みは、記録パルス生成部１０４への記録パルスの設定値とレーザー出力制御部１０３へのレーザ出力設定値を複数段階切り替えながら行うが、記録パターン信号のテスト書き込みを行う毎に、書き込まれた信号を読み出し、この読み出した信号（ＲＦ信号）の振幅、ジッタ、及びエラー率の測定等のＲＦ信号品質検証を行う（ステップ２０７）。
【００４８】
このテスト書き込みとＲＦ信号品質検証とを繰り返し、テスト箇所Ｓ１，Ｓ２，Ｓ３のそれぞれについてＲＦ信号の品質が最良となったときのレーザー出力設定値および記録パルス設定値をテスト結果とし、このテスト結果とディスク１０１の型番とをテスト済みディスクのディスク情報としてテスト結果格納領域１０７に書き込む（ステップ２０８）。
【００４９】
そして、セットされているディスク１０１がオーバライト（上書き）可能なディスクであるか否かをチェックする（ステップ２０９）。ここで、ディスク１０１がＣＤ−Ｒであった場合、オーバライトが不可能なディスクであると判断し（ステップ２０９のＮＯ）、テスト書き込みを行った箇所Ｓ１，Ｓ２，Ｓ３を不良セクタとして登録し、使用を禁止する（ステップ２１０）。例えば、ＣＤ−ＲＷで使用されている「Mount Rainier 」規格により、不良セクタ管理を行い、使用不可にする。したがって、この場合、ステップ２１１での本番書き込みでは、テスト書き込みでは未使用であった領域のみ、本来のデータ記録領域として使用することが可能となる。
【００５０】
ディスク１０１がＣＤ−ＲＷであった場合には、オーバライトが可能なディスクであると判断し（ステップ２０９のＹＥＳ）、テスト書き込みを行った箇所Ｓ１，Ｓ２，Ｓ３の不良セクタとしての登録は行わない。したがって、この場合、ステップ２１１での本番書き込みでは、テスト書き込みを行った領域についても、通常のデータ記録済み領域と同様に、本来のデータを上書きすることが可能となる。
【００５１】
なお、ステップ２１１での本番書き込みでは、ステップ２０８で求めたテスト結果、すなわちテスト箇所Ｓ１，Ｓ２，Ｓ３における最良の結果が得られたときのレーザー出力設定値および記録パルス設定値を利用して、ディスク１０１の内周部，中間部，外周部へのデータ書き込みを行う。
【００５２】
〔型番が一致するディスク情報がテーブルデータ内になかった場合〕
ステップ２０４において、ＲＯＭ１０９のテーブルデータ内に型番が一致するディスク情報がなかった場合には（ステップ２０４のＮＯ）、マイクロコンピュータ１１７は、セットされているディスク１０１に書き込まれているディスク特定情報から基本レーザ出力設定値および基本記録パルス設定値を初期設定値として読み出し、レーザ出力設定値をレーザ出力制御部１０３へ、記録パルス設定値を記録パルス生成部１０４に設定し（ステップ２１２）、ステップ２０６以下の処理を上述と同様にして実行する。
【００５３】
この場合、セットされたディスク１０１は実験用の装置では確かめられていない未知のディスクであり、このディスク１０１から読み出される基本レーザ出力設定値や基本記録パルス設定値は、規格書に沿った値である。ステップ２０６以下の処理では、この未知のディスク１０１から読み出された基本レーザ出力設定値および基本記録パルス設定値の値を少しずつ変えながら、テスト書き込み箇所Ｓ１，Ｓ２，Ｓ３のそれぞれについてテスト書き込みが行われる。そして、書き込んだ信号がＲＦ信号として読み出され、読み出されたＲＦ信号の振幅、ジッタ、及びエラー率の測定等のＲＦ信号品質検証が行われ、テスト箇所Ｓ１，Ｓ２，Ｓ３のそれぞれについて最良の結果が得られたときのレーザー出力設定値および記録パルス設定値がテスト結果として求められる。したがって、セットされたディスク１０１が未知のディスクであっても、高確率で適切なレーザ出力設定値および記録パルス設定値が得られるものとなり、書き込み不良を起こしたり、読み出しエラーが頻発してしまう虞れが大幅に軽減される。
【００５４】
最近では、外国メーカ等から次々と新しいディスクが発売されており、書き込みドライブとして対応しなければならないディスクの範囲が急速に広がっている。従来の方法では、ディスク１０１の最内周部のＰＣＡ領域１０１−５へテスト書き込みを行い、そのテスト書き込みの結果をベースにディスク１０１から読み出した基本レーザ出力設定値および記録記録パルス設定値を微調整するだけであったために、微調整では調整しきれないディスクが生じ、書き込み不良を起こしたり、読み出しエラーが頻発してしまう虞れが高かった。このような心配をなくすには、新規にディスクが発売される毎に、そのディスクにデータを良好に書き込むことができるレーザ出力設定値および記録パルス設定値を実験によって求め、テーブルデータを更新しなければならない。しかし、頻繁に新しいディスクが発売されている昨今では、テーブルデータを最新版に更新することは困難である。
【００５５】
これに対し、本実施の形態では、セットされたディスク１０１が未知のディスクであっても、高確率で適切なレーザ出力設定値および記録パルス設定値を得ることができるので、書き込み不良を起こしたり、読み出しエラーが頻発してしまう虞れがなく、またＲＯＭ１０９に記憶させるテーブルデータを頻繁に更新する必要もなくなる。
【００５６】
〔型番が一致するディスク情報がテスト結果格納領域にあった場合〕
上述においては、セットされたディスク１０１を、複数箇所への書き込みテストが行われていない初めての型番のディスクであるものとした。以下の説明では、セットされたディスク１０１の型番は、すでに複数箇所への書き込みテストが行われたテスト済みディスクと同一型番であるとする。
【００５７】
マイクロコンピュータ１１７は、ディスク１０１がセットされると（ステップ２０１）、このセットされたディスク１０１のディスク特定情報よりその型番を読み出し（ステップ２０２）、その読み出した型番と一致するディスク情報がテスト結果格納領域１０７にあるか否かをチェックする（ステップ２０３）。この場合、セットされたディスク１０１はすでに複数箇所への書き込みテストが行われたテスト済みディスクと同一型番であるので、テスト結果格納領域１０７内にはその型番と一致するディスク情報が書き込まれている。
【００５８】
したがって、ステップ２０３での判断結果はＹＥＳとなり、マイクロコンピュータ１１７はステップ２１３への処理へと進む。ステップ２１３では、テスト結果格納領域１０７から型番が一致するディスク情報のレーザ出力設定値および記録パルス設定値を読み出し、レーザ出力設定値をレーザ出力制御部１０３へ、記録パルス設定値を記録パルス生成部１０４に設定する。
【００５９】
そして、マイクロコンピュータ１１７は、ディスク１０１の最内周のＰＣＡ領域１０１−５へのテスト書き込みを行う（ステップ２１４）。そして、このテスト書き込みによりＰＣＡ領域１０１−５へ書き込んだ信号をＲＦ信号として読み出し、読み出したＲＦ信号の振幅、ジッタ、及びエラー率の測定等のＲＦ信号品質検証を行うことにより、テスト結果格納領域１０７に格納されているテスト結果が妥当であるか否かを検証し、必要であればテスト箇所Ｓ１，Ｓ２，Ｓ３より得た各箇所のレーザ出力設定値および記録パルス設定値（テスト結果）の微調整を行う（ステップ２１５）。そして、ステップ２１１へ進んで、ディスク１０１へのデータの本番書き込みを行う。
【００６０】
同一メーカ、同一型番のディスクであれば、ディスク自体の記録特性についてのバラツキは殆どないと考えられるので、テスト済みの同じ型番のディスクがセットされた場合には、テスト結果格納領域１０７から同一型番のテスト済みのディスクのテスト結果を読み出してデータの書き込みを行うことにより、ステップ２０６〜２０８による複数箇所へのテスト書き込みを一々繰り返さなくても、最適なデータ書き込みを行うことが可能となる。なお、本実施の形態では、ディスク自体の記録特性についてのバラツキを考慮し、ステップ２１３〜２１５の処理によって微調整を行うようにしている。
【００６１】
また、本実施の形態では、ステップ２０６〜２０８の処理を行うことによって、装置１００毎の個体差を考慮した最適なデータ書き込みを行うことが可能となる。すなわち、ＲＯＭ１０９に設けられたテーブルデータ内のディスク情報から読み出されるレーザ出力設定値および記録パルス設定値は、そのディスクにデータを良好に書き込むことができる値として実験により求められているものである。装置１００には、レーザダイオードやレーザ出力をモニタするためのモニタダイオードの特性バラツキ等の個体差があり、実験で求められたレーザ出力設定値や記録パルス設定値が最適なものであるとは限らない。本実施の形態では、この実験により得られたレーザ出力設定値および記録パルス設定値を複数箇所について調整することによって、装置１００毎の個体差を考慮した最適なデータ書き込みを行うことが可能となる。
【００６２】
なお、上述した実施の形態では、装置１００内にテスト結果格納領域１０７を設けたが、複数箇所へのテスト書き込みを行ったテスト済みのディスク１０１自体にテスト結果格納領域１０７を確保するようにしてもよい。この場合、本番書き込みを行う前に、本番書き込みを行うディスクと同一型番のテスト済みのディスクを装置１００にセットし、そのディスクのテスト結果格納領域からレーザ出力設定値や記録パルス設定値（テスト結果）を読み出す。このようにすることによって、装置１００のブロック構成を従来のものと変更することなく、本発明を適用することが可能となる。
【００６３】
また、上述した実施の形態では、装置１００内にテスト結果格納領域１０７を設けたが、パーソナルコンピュータ１のハードディスク等の記憶装置内にテスト結果格納領域１０７を確保するようにしてもよい。この場合、パーソナルコンピュータ１とライティングソフトウェア２とを連動させることにより、テスト結果をパーソナルコンピュータ１のハードディスクなどの記憶装置内に格納し、必要に応じてライティングソフトウェア２を経由してテスト結果を装置１００に転送することによって、装置１００のブロック構成を従来のものと変更することなく本発明を適用することが可能となる。
【００６４】
【発明の効果】
以上説明したことから明らかなように本発明によれば、セットされたディスクに書き込まれている種別情報と一致するディスク情報のレーザ出力情報および記録パルス情報を初期情報として読み出し、この読み出した初期設定情報の値を少しずつその初期設定情報の値を変えながらセットされたディスクの全領域中の予め定められた複数の任意な箇所にテスト書き込みを行い、各箇所について最良の結果が得られたときのレーザ出力情報および記録パルス情報をテスト結果とし、このテスト結果とそのディスクの種別情報とをテスト済みディスクのディスク情報としてテスト結果格納領域に書き込むようにようにしたので、テスト済みのディスクとメーカや型番ななどが同じである同一種別のディスクがセットされた場合には、テスト結果格納領域に書き込まれている同一種別のディスクより得られた各箇所のテスト結果を使用することにより、高倍速書き込みとした場合であっても、ディスク全体に書き込んだ信号の品質を一律、高精度に確保することが可能となる。
【図面の簡単な説明】
【図１】本発明の一実施の形態を示す光学式ディスク記録再生装置のブロック図である。
【図２】この光学式ディスク記録再生装置における特徴的な動作を説明するフローチャートである。
【図３】この光学式ディスク記録再生装置にセットされるディスクにおいて選択されるテスト箇所を示す正面図である。
【図４】ＣＤ−Ｒのテスト書き込みに用いられる変化パターンの一例を示す図である。
【図５】ＣＤ−Ｒで用いられる記録パルス信号の一例を示す図である。
【図６】ＣＤ−ＲやＣＤ−ＲＷにおける各種の領域を示す正面図である。
【図７】従来の光学式ディスク記録再生装置におけるレーザ出力設定値および記録パルス設定値の調整方法を説明するフローチャートである。
【符号の説明】
１…パーソナルコンピュータ、２…ライティングソフトウェア、１００…光学式ディスク再生装置、１０１…ディスク、１０１−５…ＰＣＡ領域、Ｓ１，Ｓ２，Ｓ３…テスト箇所、１０２…光学ピックアップ、１０３…レーザ出力部、１０４…記録パルス生成部、１０５…再生信号処理部、１０６…データプロセッサ、１０７…テスト結果格納領域、１０８…ＲＡＭ、１０９…ＲＯＭ、１１０…フォーカス／トラッキングサーボ制御部、１１１…スピンドルサーボ制御部、１１２…スピンドルモータ、１１３…チャキング、１１４…ホストインターフェイス、１１７…マイクロコンピュータ。
【図１】
2004199749.tif 000003
【図２】
2004199749.tif 000004
【図３】
2004199749.tif 000005
【図４】
2004199749.tif 000006
【図５】
2004199749.tif 000007
【図６】
2004199749.tif 000008
【図７】
2004199749.tif 000009